【手続補正書】
【提出日】平成20年12月8日(2008.12.8)
【手続補正１】
【補正対象書類名】明細書
【補正対象項目名】特許請求の範囲
【補正方法】変更
【補正の内容】
【特許請求の範囲】
【請求項１】  ファイル内容分類システムであって、
複数のデバイスに設けられた複数のディジタル内容ＩＤ生成部と、
該ディジタル内容ＩＤ生成部からディジタル内容ＩＤを受け取るように接続されたＩＤ出現データベースと、
該出現データベースにおける対応するディジタル内容ＩＤの出現に基づく特性を有するとして前記ファイル内容を識別する特性比較ルーチンと、
を備えることを特徴とする内容分類システム。
【請求項２】  前記ＩＤ生成部がハッシュアルゴリズムを備える請求項１に記載の内容分類システム。
【請求項３】  前記ハッシュアルゴリズムがＭＤ５ハッシュアルゴリズムである請求項２に記載の内容分類システム。
【請求項４】  前記ＩＤ出現データベースがディジタル内容ＩＤの出現の頻度を調べる請求項１に記載の内容分類システム。
【請求項５】  前記複数のディジタルＩＤ内容生成部が、私設ネットワークおよび公衆ネットワークのうちの一方又は両方を介して前記ＩＤ出現データベースに接続されるように構成される、請求項１に記載の内容分類システム。
【請求項６】  前記ＩＤ出現データベースが、前記複数のディジタル内容ＩＤ生成部に接続されるように構成された中間サーバに接続されるように構成される、請求項５に記載の内容分類システム。
【請求項７】  前記中間サーバがウェブサーバである請求項６に記載の内容分類システム。
【請求項８】  前記特性が、ジャンク電子メールを含み、かつ、ディジタル内容ＩＤの出現の頻度により定められる、請求項１に記載の内容分類システム。
【請求項９】  データファイルの特性を識別する方法であって、
前記データファイルについてのディジタル内容識別子を、すべてがネットワークに接続された複数のソースシステムから受け取る工程と、
受信されたディジタル内容識別子が他のディジタル内容識別子の特性と一致するかどうかを、前記ネットワークに接続された処理システムにおいて決定する工程と、
前記ソースシステムからの要求に応じて前記複数のソースシステムのうちの少なくとも１つに対して、前記決定する工程に基づいた前記データファイルの特性の表示を出力する工程と、
を含むことを特徴とする方法。
【請求項１０】  前記ディジタル内容識別子が、前記データファイルの少なくとも一部をハッシュすることによる生成物である、請求項９に記載の方法。
【請求項１１】  前記ハッシュする工程がＭＤ５ハッシュを用いる工程を含む、請求項９に記載の方法。
【請求項１２】  前記ディジタル内容識別子が、前記データファイルの多数の部分をハッシュすることによる生成物である、請求項９に記載の方法。
【請求項１３】  前記データファイルが電子メールのメッセージであり、
前記決定する工程は、該電子メールのメッセージがスパムであるかどうかを決定する工程を含む、請求項９に記載の方法。
【請求項１４】  前記決定する工程は、ディジタル内容識別子が生成される単位時間当たりの割合を調べることにより、前記電子メールのメッセージをスパムとして識別する、請求項９に記載の方法。
【請求項１５】  前記出力する工程は、前記複数のソースシステムに対して、前記決定する工程に基づいて前記データファイルを用いた操作を実行するように指示する工程を含む、請求項９に記載の方法。
【請求項１６】  電子メールのメッセージをフィルタリングする方法であって、
複数のデバイスのうちの少なくとも２つから前記電子メールのメッセージの内容に固有のディジタル内容識別子を受け取る工程と、
前記電子メールのメッセージが特性を有するかどうかを決定するために、前記ディジタル内容識別子を、前記複数のデバイスから受け取ったディジタル内容識別子の特性データベースと比較する工程と、
前記複数のデバイスのうちの少なくとも１つからの、前記比較に基づいた前記電子メールのメッセージの前記特性が存在するか存在しないかの問合せに応答する工程と、
を含むことを特徴とする方法。
【請求項１７】  前記比較する工程が、少なくとも１つのネットワーク接続された処理システムで発生する、請求項１６に記載の方法。
【請求項１８】  前記受け取る工程が、前記複数のデバイスからディジタル内容識別子を受け取る工程を含む、請求項１６に記載の方法。
【請求項１９】  前記複数のデバイスがインターネットにより接続されている、請求項１６に記載の方法。
【請求項２０】  前記比較する工程が、時間期間において特定のディジタル内容識別子が発生する頻度を決定する工程と、特性を有するとして前記特定のディジタル内容識別子を分類する工程と、受け取られた前記ディジタル内容識別子を分類された前記ＩＤと比較する工程と、を含む請求項１６に記載の方法。
【請求項２１】  ファイル内容分類システムであって、
第２システムにおけるＩＤ生成部に接続されるように構成された第１システムにおけるデータベースであって、前記ＩＤ生成部により生成されたＩＤを受け取るように構成され、各ＩＤが、ファイルにおける少なくとも１つの選択された部分に対する生成されたチェックサムに基づいている、データベースと、
前記データベースに関連した各ＩＤを、特性を満たすまたは満たさないとして分類するように構成された、前記第１システムにおける比較ルーチンと、
を備えることを特徴とするシステム。
【請求項２２】  前記第１システムが少なくとも１つの付加的な第２システムに接続されるように構成され、
前記付加的な第２システムの各々が、前記第１システムにおける前記データベースに接続されるように構成された対応するファイルＩＤ生成部を含む、請求項２１に記載のシステム。
【請求項２３】  前記第１システムは、公衆ネットワークおよび私設ネットワークのうちの一方又は両方を介して前記第２システムに接続されるように構成される、請求項２１に記載のシステム。
【請求項２４】  前記第１システムがウェブサーバインターフェースシステムおよびデータベースシステムを備え、
該データベースシステムが、前記ウェブサーバシステムによってインターネットから隔離されている、請求項２１に記載のシステム。
【請求項２５】  ネットワークによって接続された第１および第２コンピュータに対する内容分類システムであって、
前記第１コンピュータにおけるクライアントエージェントファイル識別子生成部と、
前記クライアントエージェントからファイル識別子を受け取るように構成され、該クライアントエージェントに対して応答を与えるように構成された、前記第２コンピュータにおけるサーバ比較エージェントおよびデータ構造と、
を備え、
前記クライアントエージェントが、前記サーバ比較エージェントからの応答に基づいて前記ファイルを処理するように構成される、ことを特徴とするシステム。
【請求項２６】  インターネットにおいてサービスを提供する方法であって、
前記インターネットにおけるクライアントエージェントを有する複数のシステムからデータベースを有するサーバに対してデータを収集する工程と、
前記データベースにおける情報に関連した収集されたデータに特性を付ける工程と、
前記収集されたデータの特性付けを前記クライアントエージェントに対して伝送する工程と、
を含むことを特徴とする方法。
【請求項２７】  前記収集する工程がデータファイルについてのディジタル識別子を収集する工程を含む、請求項２６に記載の方法。
【請求項２８】  前記データファイルが電子メールである、請求項２６に記載の方法。
【請求項２９】  前記特性を付ける工程が、
特定のディジタル識別子の前記収集の頻度を調べる工程と、
前記頻度に基づいて前記特定のディジタル識別子に特性を付ける工程と、
前記特性付けを記憶する工程と、
収集された識別子を既知の特性付けと比較する工程と、
を含む請求項２６に記載の方法。